(57)【要約】【課題】画像データのデータ量を増加させることなく副走査方向における像の解像度を上げる。【解決手段】感光体ドラム上における複数の光スポットの副走査方向に関する間隔が、像を構成する複数の画素の副走査方向に関する間隔の１／２となるように、光源ユニットの複数の光源を配置し、像を構成する複数の画素に対応する位置にある光源を主光源（Ａ１、Ａ３など）とし、副走査方向に対応する方向に関して主光源の間にそれぞれ位置する光源を補正光源（Ａ２、Ａ４など）とする。【選択図】図４
2007047644.tif 000002
【特許請求の範囲】
【請求項１】
複数の光源を有する光源ユニットを備え、走査対象物に対して前記光源ユニットからの画像情報が含まれる光を走査し、前記走査対象物に像を形成する光走査装置において、
前記複数の光源は、前記走査対象物上における前記複数の光源からそれぞれ出射された光による複数の光スポットの副走査方向に関する間隔が、前記像を構成する複数の画素の副走査方向に関する間隔の１／２となるように配置されていることを特徴とする光走査装置。
【請求項２】
前記複数の光源は、前記像を構成する複数の画素に対応する位置にある複数の主光源と、副走査方向に対応する方向に関して前記複数の主光源の間にそれぞれ位置する複数の補正光源とを含むことを特徴とする請求項１に記載の光走査装置。
【請求項３】
前記複数の主光源は、それぞれ前記走査対象物上に主画素を形成し、前記複数の補正光源は、それぞれ前記走査対象物上に補正画素を形成することを特徴とする請求項２に記載の光走査装置。
【請求項４】
前記走査対象物上に１つの補正画素を２つの主画素の間に形成する際に、
前記１つの補正画素は、その重心位置が前記２つの主画素の重心位置と一致するように形成されることを特徴とする請求項３に記載の光走査装置。
【請求項５】
前記走査対象物上において、主走査方向に関してｍ番目でかつ副走査方向に関してｎ番目の画素を対象画素とし、該対象画素に対して補正画素を形成する際に、
主走査方向に関してｍ−１番目でかつ副走査方向に関してｎ−１番目の画素と、主走査方向に関してｍ−１番目でかつ副走査方向に関してｎ番目の画素と、主走査方向に関してｍ−１番目でかつ副走査方向に関してｎ＋１番目の画素と、主走査方向に関してｍ番目でかつ副走査方向に関してｎ−１番目の画素と、主走査方向に関してｍ番目でかつ副走査方向に関してｎ＋１番目の画素と、主走査方向に関してｍ＋１番目でかつ副走査方向に関してｎ−１番目の画素と、主走査方向に関してｍ＋１番目でかつ副走査方向に関してｎ番目の画素と、主走査方向に関してｍ＋１番目でかつ副走査方向に関してｎ＋１番目の画素の、８個の参照画素及び前記対象画素に関する各画像情報に基づいて、形成される補正画素の数及び発光条件が決定されることを特徴とする請求項３に記載の光走査装置。
【請求項６】
前記走査対象物上において、主走査方向に関してｍ番目でかつ副走査方向に関してｎ番目の画素を対象画素とし、該対象画素に対して補正画素を形成する際に、
主走査方向に関してｍ−１番目でかつ副走査方向に関してｎ−１番目の画素と、主走査方向に関してｍ−１番目でかつ副走査方向に関してｎ番目の画素と、主走査方向に関してｍ−１番目でかつ副走査方向に関してｎ＋１番目の画素と、主走査方向に関してｍ＋１番目でかつ副走査方向に関してｎ−１番目の画素と、主走査方向に関してｍ＋１番目でかつ副走査方向に関してｎ番目の画素と、主走査方向に関してｍ＋１番目でかつ副走査方向に関してｎ＋１番目の画素の、６個の参照画素及び前記対象画素に関する各画像情報に基づいて、形成される補正画素の数及び発光条件が決定されることを特徴とする請求項３に記載の光走査装置。
【請求項７】
前記走査対象物上において、主走査方向に関してｍ番目でかつ副走査方向に関してｎ番目の画素を対象画素とし、該対象画素に対して補正画素を形成する際に、
主走査方向に関してｍ−１番目でかつ副走査方向に関してｎ−１番目の画素と、主走査方向に関してｍ＋１番目でかつ副走査方向に関してｎ＋１番目の画素と、主走査方向に関してｍ−１番目でかつ副走査方向に関してｎ＋１番目の画素と、主走査方向に関してｍ＋１番目でかつ副走査方向に関してｎ−１番目の画素の、４個の参照画素及び前記対象画素に関する各画像情報に基づいて、形成される補正画素の数及び発光条件が決定されることを特徴とする請求項３に記載の光走査装置。
【請求項８】
前記各光源の発光量はパルス幅により制御され、
前記走査対象物上に１つの補正画素を２つの主画素の間に形成する際に、
前記形成される補正画素の発光条件は、前記対象画素のパルス幅及び前記参照画素のパルス幅のうち小さい方のパルス幅によって決定されることを特徴とする請求項５〜７のいずれか一項に記載の光走査装置。
【請求項９】
前記画像情報を補正画素用の画像データに変換するためのルックアップテーブルを更に備えることを特徴とする請求項３に記載の光走査装置。
【請求項１０】
前記画像データを一時的に格納することができるキャッシュメモリを更に備えることを特徴とする請求項３に記載の光走査装置。
【請求項１１】
前記補正光源の１画素あたりの発光光量は、前記主光源の１画素あたりの発光光量よりも小さいことを特徴とする請求項２に記載の光走査装置。
【請求項１２】
前記補正光源の１画素あたりの発光光量は、前記主光源の１画素あたりの発光光量の１／２よりも小さいことを特徴とする請求項２に記載の光走査装置。
【請求項１３】
前記複数の光源は、それぞれ同一チップ上に形成されていることを特徴とする請求項１〜１２のいずれか一項に記載の光走査装置。
【請求項１４】
少なくとも１つの走査対象物と；
前記少なくとも１つの走査対象物に対して画像情報が含まれる光を走査し、前記走査対象物に像を形成する少なくとも１つの請求項１〜１３のいずれか一項に記載の光走査装置と；
前記走査対象物に形成された像を転写対象物に転写する転写装置と；を備える画像形成装置。
【請求項１５】
前記画像情報は、カラー画像情報であることを特徴とする請求項１４に記載の画像形成装置。
【発明の詳細な説明】
【技術分野】
【０００１】
本発明は、光走査装置及び画像形成装置に係り、更に詳しくは、光源からの光を走査対象物に対して走査する光走査装置及び該光走査装置を備えた画像形成装置に関する。
【背景技術】
【０００２】
レーザプリンタやデジタル複写機などの画像形成装置では、画像情報に応じて変調された光源からの光をポリゴンミラー、及び走査レンズなどを介して感光体上に集光させるとともに、感光体上を所定の方向（主走査方向）に走査させ、感光体上に潜像（静電潜像）を形成している。そして、その潜像にトナーを付着させることにより、画像情報を顕像化させている。
【０００３】
近年、印刷速度の高速化の要求に対して、これまでポリゴンミラーの回転速度を高速化したり、光源からの光を変調する際に用いられるクロック信号の周波数を高くすることで対応してきたが、これらの手法では限界があり、更なる高速化に対応するために、複数の光源を用いる、いわゆるマルチビーム方式が考案された。（例えば、特許文献１〜特許文献３参照）
【０００４】
上記マルチビームを構成する光源としては、シングルビームのレーザチップを組み合わせる方法や、複数個の発光素子を一つのレーザチップに組み込んだＬＤアレイや面発光レーザなどが使用されている。
【０００５】
上記マルチビームを構成するＬＤアレイなどの半導体レーザはきわめて小型であり、かつ駆動電流により高速に直接変調を行うことができるので、近年レーザプリンタ等の光源として広く用いられている。しかし、半導体レーザの駆動電流と光出力との関係は、温度により変化する特性を有するので、半導体レーザの光強度を所望の値に設定しようとする場合問題となる。特に複数の光源を同一チップ上に構成する面発光レーザの場合、光源間の距離が短いため発光、消光による温度変化や温度クロストークなどの影響が顕著であり、光量変動の要因となりやすい。
【０００６】
さらに、マルチビーム光学系の場合、各発光源の発振波長に差があると、走査レンズの色収差が補正されていない光学系の場合に露光位置ずれが発生し、各発光源に対応するスポットが被走査媒体上を走査する時の走査幅は、発光源毎に差が生じてしまい、画像品質の劣化の要因になってしまうため、走査幅の補正を行う必要がある。
【０００７】
例えば特許文献１には、複数の光源を２次元に配置し、複数の光束を偏向器で偏向することにより被走査媒体上を走査する光走査装置であって、発光点間の発熱によるクロストークの影響を発生させずに発光点の配置密度を最大とする光走査装置が開示されている。
【０００８】
また、特許文献２には、面発光レーザを用いた画像形成装置において、画素単位で各チップの発光強度を可変する手段及び発光時間を制御する手段を有することで、画素の静電潜像を制御する方法が開示されている。
【０００９】
また、特許文献３には、面発光レーザを用いた走査装置において、光源の配置を規定した構成とすることにより熱ストロークの問題を回避し、かつ、記録画像の高密度化を実現する方法が開示されている。
【００１０】
しかしながら、ユーザの画像品質に対する要求は年々厳しくなり、特許文献１〜特許文献３に開示されている装置では、高コスト化を招くことなく、今後要求される高い画像品質に対応するのは、困難であると思われる。
【００１１】
【特許文献１】特開２００１−２７２６１５号公報
【特許文献２】特開２００３−７２１３５号公報
【特許文献３】特開２００１−３５０１１１号公報
【発明の開示】
【発明が解決しようとする課題】
【００１２】
本発明は、かかる事情の下になされたもので、その第１の目的は、画像データのデータ量を増加させることなく副走査方向における像の解像度を上げることができる光走査装置を提供することにある。
【００１３】
また、本発明の第２の目的は、安価で高精細の画像を形成することができる画像形成装置を提供することにある。
【課題を解決するための手段】
【００１４】
本発明は、上述の事情の下になされたもので、第１の観点からすると、複数の光源を有する光源ユニットを備え、走査対象物に対して前記光源ユニットからの画像情報が含まれる光を走査し、前記走査対象物に像を形成する光走査装置において、前記複数の光源は、前記走査対象物上における前記複数の光源からそれぞれ出射された光による複数の光スポットの副走査方向に関する間隔が、前記像を構成する複数の画素の副走査方向に関する間隔の１／２となるように配置されていることを特徴とする光走査装置である。
【００１５】
これによれば、複数の光源は、走査対象物上における複数の光源からそれぞれ出射された光による複数の光スポットの副走査方向に関する間隔が、像を構成する複数の画素の副走査方向に関する間隔の１／２となるように配置されているため、画像データのデータ量を増加させることなく副走査方向における像の解像度を上げることが可能となる。
【００１６】
本発明は、第２の観点からすると、少なくとも１つの走査対象物と；前記少なくとも１つの走査対象物に対して画像情報が含まれる光を走査し、前記走査対象物に像を形成する少なくとも１つの請求項１〜１３のいずれか一項に記載の光走査装置と；前記走査対象物に形成された像を転写対象物に転写する転写装置と；を備える画像形成装置である。
【００１７】
これによれば、画像データのデータ量を増加させることなく副走査方向における像の解像度を上げることができる少なくとも１つの請求項１〜１３のいずれか一項に記載の光走査装置を備えているために、安価で高精細の画像を形成することが可能となる。
【発明を実施するための最良の形態】
【００１８】
以下、本発明の一実施形態を図１〜図１４（Ｂ）に基づいて説明する。図１には、本発明の一実施形態に係る画像形成装置としてのレーザプリンタ１００の概略構成が示されている。
【００１９】
図１に示されるレーザプリンタ１００は、光走査装置９００、走査対象物としての感光体ドラム９０１、帯電チャージャ９０２、現像ローラ９０３、トナーカートリッジ９０４、クリーニングブレード９０５、給紙トレイ９０６、給紙コロ９０７、レジストローラ対９０８、転写チャージャ９１１、定着ローラ９０９、排紙ローラ９１２、排紙トレイ９１０、及び位置ずれセンサ９１５などを備えている。
【００２０】
上記帯電チャージャ９０２、現像ローラ９０３、転写チャージャ９１１及びクリーニングブレード９０５は、それぞれ感光体ドラム９０１の表面近傍に配置されている。そして、感光体ドラム９０１の回転方向に関して、帯電チャージャ９０２→現像ローラ９０３→転写チャージャ９１１→クリーニングブレード９０５の順に配置されている。
【００２１】
前記感光体ドラム９０１の表面には、感光層が形成されている。ここでは、感光体ドラム９０１は、図１における面内で時計回り（矢印方向）に回転するようになっている。
【００２２】
前記帯電チャージャ９０２は、感光体ドラム９０１の表面を均一に帯電させる。
【００２３】
前記光走査装置９００は、帯電チャージャ９０２で帯電された感光体ドラム９０１の表面に、上位装置（例えばパソコン）からの画像情報に基づいて変調された光を照射する。これにより、感光体ドラム９０１の表面では、光が照射された部分だけ電荷が消失し、画像情報に対応した潜像が感光体ドラム９０１の表面に形成される。ここで形成された潜像は、感光体ドラム９０１の回転に伴って前記現像ローラ９０３の方向に移動する。ところで、感光体ドラム９０１の長手方向（回転軸に沿った方向）は「主走査方向」と呼ばれ、感光体ドラム９０１の回転方向は「副走査方向」と呼ばれている。なお、以下では、便宜上、感光体ドラム９０１の表面に形成される潜像における画素の主走査方向に関する長さを「画素の幅」ともいう。この光走査装置９００の構成については後述する。
【００２４】
前記トナーカートリッジ９０４にはトナーが格納されており、該トナーは前記現像ローラ９０３に供給される。このトナーカートリッジ９０４内のトナー量は、電源投入時や印刷終了時などにチェックされ、残量が少ないときには不図示の表示部に交換を促すメッセージが表示される。
【００２５】
前記現像ローラ９０３は、回転に伴ってその表面にトナーカートリッジ９０４から供給されたトナーが帯電されて薄く均一に付着される。また、この現像ローラ９０３には、感光体ドラム９０１における帯電している部分（光が照射されなかった部分）と帯電していない部分（光が照射された部分）とで互いに逆方向の電界が生じるような電圧が印加されている。そして、この電圧によって、現像ローラ９０３の表面に付着しているトナーは、感光体ドラム９０１の表面の光が照射された部分にだけ付着する。すなわち、現像ローラ９０３は、感光体ドラム９０１の表面に形成された潜像にトナーを付着させて画像情報を顕像化させる。ここでトナーが付着された潜像は、感光体ドラム９０１の回転に伴って前記転写チャージャ９１１の方向に移動する。
【００２６】
前記給紙トレイ９０６には転写対象物としての記録紙９１３が格納されている。この給紙トレイ９０６の近傍には前記給紙コロ９０７が配置されており、該給紙コロ９０７は、記録紙９１３を給紙トレイ９０６から１枚づつ取り出し、前記レジストローラ対９０８に搬送する。該レジストローラ対９０８は、前記転写ローラ９１１の近傍に配置され、給紙コロ９０７によって取り出された記録紙９１３を一旦保持するとともに、該記録紙９１３を感光体ドラム９０１の回転に合わせて感光体ドラム９０１と転写チャージャ９１１との間隙部に向けて送り出す。
【００２７】
前記転写チャージャ９１１には、感光体ドラム９０１の表面上のトナーを電気的に記録紙９１３に引きつけるために、トナーとは逆極性の電圧が印加されている。この電圧により、感光体ドラム９０１の表面の潜像が記録紙９１３に転写される。ここで転写された記録紙９１３は、前記定着ローラ９０９に送られる。
【００２８】
この定着ローラ９０９では、熱と圧力とが記録紙９１３に加えられ、これによってトナーが記録紙９１３上に定着される。ここで定着された記録紙９１３は、前記排紙ローラ９１２を介して前記排紙トレイ９１０に送られ、排紙トレイ９１０上に順次スタックされる。
【００２９】
前記クリーニングブレード９０５は、感光体ドラム９０１の表面に残ったトナー（残留トナー）を除去する。なお、除去された残留トナーは、再度利用されるようになっている。残留トナーが除去された感光体ドラム９０１の表面は、再度帯電チャージャ９０２の位置に戻る。
【００３０】
前記位置ずれセンサ９１５は、感光体ドラム９０１の近傍に配置され、感光体ドラム９０１に形成された画素の位置を検出し、その位置ずれ情報が含まれる信号を出力する。
【００３１】
次に、前記光走査装置９００の構成について図２及び図３を用いて説明する。
【００３２】
この光走査装置９００は、光源ユニット８０１、コリメートレンズＣＬ、シリンダレンズ８０５、ポリゴンミラー８０８、該ポリゴンミラー８０８を回転させる不図示のポリゴンモータ、ｆθレンズ８０６、折り返しミラー８０７、トロイダルレンズ８１２、２つの受光素子（８１３、８１４）、２つのプリント基板（８０２、８０９）、及び処理回路８１５などを備えている。なお、以下では、光源ユニット８０１から感光体ドラム９０１に至る光の光路上に配置された、コリメートレンズＣＬ、シリンダレンズ８０５、ポリゴンミラー８０８、ｆθレンズ８０６、折り返しミラー８０７、及びトロイダルレンズ８１２などからなる光学系を「走査光学系」ともいう。
【００３３】
前記光源ユニット８０１は、画像情報に応じて変調されたレーザ光をポリゴンミラー８０８に向けて出射する半導体レーザＬＤを含んでいる。この半導体レーザＬＤは、一例として図４（Ａ）に示されるように、それぞれ互いにほぼ同じ発光特性を有する１２個の発光部を有している。なお、各発光部は同一基板上に形成されている。すなわち、半導体レーザＬＤは、いわゆる面発光レーザである。これにより、消費電力を低減させることができる。
【００３４】
１２個の発光部は、主走査方向に対応する方向（以下、便宜上、「Dir_main方向」ともいう）に対して角度θ（０度＜θ＜９０度）だけ傾斜した方向（以下、便宜上、「α方向」ともいう。図４（Ｂ）参照）と、副走査方向に対応する方向（以下、便宜上、「Dir_sub方向」ともいう）に対して前記角度θだけ傾斜した方向（以下、便宜上、「β方向」ともいう。図４（Ｃ）参照）と、にそれぞれ沿って二次元的に配列されている。
【００３５】
ここでは、一例として、α方向に並ぶ発光部列の数を３列（図４（Ａ）における紙面上から下に向かって順に「Ａ列〜Ｃ列」とする）、β方向に並ぶ発光部列の数を４列（図４（Ａ）における紙面左から右に向かって順に「第１列〜第４列」とする）、としている。そこで、以下では、例えば、Ａ列で第２列の発光部をＡ２発光部、Ｃ列で第４列の発光部をＣ４発光部と呼ぶこととする。また、α方向については、図４（Ａ）における紙面左側から右側に向かう方向を＋方向とし、β方向については、図４（Ａ）における紙面上側から下側に向かう方向を＋方向とする。さらに、Dir_main方向については、図４（Ａ）における紙面左側から右側に向かう方向を＋方向とし、Dir_sub方向については、図４（Ａ）における紙面上側から下側に向かう方向を＋方向とする。
【００３６】
また、１２個の発光部は、α方向及びβ方向のいずれの方向においても、それぞれ等間隔に配置されている。そして、Ａ１発光部、Ａ３発光部、Ｂ１発光部、Ｂ３発光部、Ｃ１発光部、及びＣ３発光部は、いずれも主画素を形成するための主光源であり、Ａ２発光部、Ａ４発光部、Ｂ２発光部、Ｂ４発光部、Ｃ２発光部、及びＣ４発光部は、いずれも補正画素を形成するための補正光源である。なお、以下において、主光源と補正光源とを区別する必要がないときには、それらを総称して単に「光源」ともいう。
【００３７】
各光源は、一例として図５（Ａ）及び図５（Ｂ）に示されるように、感光体ドラム９０１上における各光源からそれぞれ出射された光による複数の光スポットの副走査方向に関する間隔が、像を構成する複数の画素の副走査方向に関する間隔ｄの１／２となるように配置されている。すなわち、Dir_sub方向に関する光源密度は、副走査方向の画素密度の２倍に対応している。従って、例えば像を構成する複数の画素の副走査方向に関する画素密度が６００dpiであれば、１２００dpiに相当する像を形成することができる。なお、Dir_sub方向に関する光源間の距離をｄsとする。
【００３８】
ところで、感光体ドラム９０１の表面に形成される潜像は、ｆθレンズ８０６の特性に起因する走査ムラ、ポリゴンミラー８０８における偏向反射面のいわゆる面倒れや、偏向反射面の回転軸からの距離のばらつき、ポリゴンミラー８０８の回転ムラ、半導体レーザＬＤから出射されるレーザ光の波長変動などによって位置ずれを生じる場合がある。以下では、便宜上、主走査方向の位置ずれを「主走査方向ずれ」ともいい、副走査方向の位置ずれを「副走査方向ずれ」ともいう。
【００３９】
図２に戻り、この光源ユニット８０１は、その背面に前記プリント基板８０２が装着された状態で光学ハウジング８０４の壁面にスプリングにより当接されている。なお、壁面に対する前記当接の姿勢は調節ネジ８０３によって調節可能となっている。これにより、光源ユニット８０１からの光の出射方向を調節することができる。この調節ネジ８０３は光学ハウジング８０４の壁面に形成された突起部に螺合されている。光学ハウジング８０４の内部には、図３に示されるように、前記コリメートレンズＣＬ、シリンダレンズ８０５、ポリゴンミラー８０８、ポリゴンモータ（不図示）、ｆθレンズ８０６、折り返しミラー８０７、トロイダルレンズ８１２、及び２つの受光素子（８１３、８１４）が、それぞれ所定の位置に位置決めされ支持されている。また、プリント基板８０９は、光学ハウジング８０４の壁面に前記光源ユニット８０１と同様に、外側より装着されている。光学ハウジング８０４は、カバー８１１により上部が封止され、その壁面から突出した複数の取付部８１０にてレーザプリンタ１００のフレーム部材にネジで固定される。
【００４０】
前記コリメートレンズＣＬは、光源ユニット８０１からの光を略平行光とする。前記シリンダレンズ８０５は、コリメートレンズＣＬからの光を整形する。
【００４１】
走査光学系の動作について簡単に説明する。光源ユニット８０１からの光は、コリメートレンズＣＬおよびシリンダレンズ８０５を介して、ポリゴンミラー８０８の偏向面近傍に一旦結像される。ポリゴンミラー８０８は、ポリゴンモータ（不図示）によって一定の速度で図３中の矢印Ｂ方向に回転しており、その回転に伴って偏向面近傍に結像された光は等角速度的に偏向される。このポリゴンミラー８０８で偏向された光は、ｆθレンズ８０６を介して、折り返しミラー８０７に入射し、折り返しミラー８０７で反射され、トロイダルレンズ８１２を介して感光体ドラム９０１の表面を走査する。なお、以下では、主走査方向の走査において、走査開始位置から走査終了位置までの１回の走査を「１ライン走査」ともいう。
【００４２】
また、主走査方向に関して前記折り返しミラー８０７の両端には、１ライン走査の開始及び終了をそれぞれ検出するための前記２つの受光素子（８１３、８１４）が設けられている。ここでは、ポリゴンミラー８０８により偏向された光が、感光体ドラム９０１の表面を１ライン走査する前に受光素子８１３に入射され、１ライン走査した後に受光素子８１４に入射されるように配置されている。各受光素子は、それぞれ受光量に応じた信号（光電変換信号）を出力する。
【００４３】
前記プリント基板８０９には、図６に示されるように、２つのＩ／Ｖアンプ（６０、６１）、２つの２値化回路（６２、６３）及び２つのインバータ（６４、６５）などが実装されている。
【００４４】
Ｉ／Ｖアンプ６０は、受光素子８１３からの光電変換信号を電圧信号に変換するとともに、所定のゲインで増幅する。Ｉ／Ｖアンプ６１は、受光素子８１４からの光電変換信号を電圧信号に変換するとともに、所定のゲインで増幅する。
【００４５】
２値化回路６２は、Ｉ／Ｖアンプ６０の出力信号を２値化する。２値化回路６３は、Ｉ／Ｖアンプ６１の出力信号を２値化する。
【００４６】
インバータ６４は、２値化回路６２の出力信号を反転させ、第１水平同期信号Hsync1として出力する。インバータ６５は、２値化回路６３の出力信号を反転させ、第２水平同期信号Hsync2として出力する。そこで、受光素子８１３に光が入射されると第１水平同期信号Hsync1は「Ｈ（ハイレベル）」から「Ｌ（ローレベル）」に変化する。また、受光素子８１４に光が入射されると第２水平同期信号Hsync2は「Ｈ」から「Ｌ」に変化する。
【００４７】
前記プリント基板８０２には、図６に示されるように、レーザ駆動回路５０などが実装されている。このレーザ駆動回路５０は、処理回路８１５からの後述するパルス幅変調信号MPWMに基づいて、主光源の駆動信号を生成し、パルス幅変調信号SPWMに基づいて、補正光源の駆動信号を生成する。ここで生成された各駆動信号は前記光源ユニット８０１に出力される。光源ユニット８０１では、各駆動信号を半導体レーザＬＤに供給する。
【００４８】
前記処理回路８１５は、図６に示されるように、位置ずれ情報取得回路１０、画素クロック生成回路２０、ＨＦクロック生成回路２５、変調データ生成回路３０、シリアル信号生成回路３５、画像データ生成回路４０、補正用画像データ生成回路４５、ＬＵＴ（ルックアップテーブル）４７及びメモリ１５などを有している。
【００４９】
位置ずれ情報取得回路１０は、画像情報に応じた本来の走査に先立って行われる試し走査における前記第１水平同期信号Hsync1、前記第２水平同期信号Hsync2、及び位置ずれセンサ９１５の出力信号に基づいて、主走査方向ずれ情報及び副走査方向ずれ情報を取得する。
【００５０】
そして、本来の走査の際に、位置ずれ情報取得回路１０は、主走査方向ずれ情報に応じて、主走査方向における書き出しタイミングの調整、ＨＦクロック生成回路２５から出力される高周波クロック信号VCLKの調整を行うとともに、メモリ１５に格納されている主走査方向ずれ補正情報テーブルを参照し、位相データSphaseを生成する。
【００５１】
なお、本実施形態では、予め実験などにより、画素クロック信号PCLKの位相を変更させる画素及びその変更量についてマップを作成し、前記主走査方向ずれ補正情報テーブルとしてメモリ１５に格納している。
【００５２】
また、位置ずれ情報取得回路１０は、副走査方向ずれ情報から許容値を超える副走査方向ずれが生じた画素と、そのずれ量についてマップを作成し、副走査方向ずれ情報テーブルとしてメモリ１５に格納する。そして、本来の走査の際に、副走査方向ずれ情報テーブルを参照し、副走査方向ずれを補正するための補正信号Ｓdevを変調データ生成回路３０及び補正用画像データ生成回路４５に出力する。具体的には、位置ずれ情報取得回路１０は、光源ユニット８０１からの光の重心をDir_sub方向に関して、副走査方向ずれの大きさと同じだけ副走査方向ずれの方向と反対の方向にシフトさせるための補正信号Ｓdevを生成する。
【００５３】
前記ＨＦクロック生成回路２５は、基準となる高周波クロックVCLKを生成する。ここで生成された高周波クロックVCLKは、画素クロック生成回路２０、シリアル信号生成回路３５及び補正用画像データ生成回路４５に供給される。
【００５４】
前記画素クロック生成回路２０は、前記高周波クロックVCLK及び前記位相データSphaseに基づいて、部分的に位相が異なる画素クロック信号PCLKを生成する。この画素クロック信号PCLKは、シリアル信号生成回路３５や画像データ生成回路４０に供給される。
【００５５】
前記画像データ生成回路４０は、上位装置からの画像情報に基づいて、画像データを生成する。
【００５６】
ここで、副走査方向ずれの補正方法について説明する。本実施形態では、一例として図７に示されるように、１画素に対応する時間幅（Ｔsとする）の１／８のパルス幅で各光源の発光時間を制御できるものとする。そこで、補正信号Ｓdevに応じて、一例として図８に示されるように、１７種類（Ｍ１〜Ｍ１７）の発光パターンのいずれかが、変調データ生成回路３０及び補正用画像データ生成回路４５で選択されるものとする。なお、ここでは、具体例として、Ａ３発光部により形成される主画素の副走査方向ずれを補正する場合について説明する。
【００５７】
発光パターンＭ１は、副走査方向ずれが０の場合に適用され、Ａ３発光部が通常のパルス幅Ｔsで発光され、Ａ２発光部及びＡ４発光部は発光されない。このときの光の重心は図９（Ａ）に符号Ｇａで示されるように、Ａ３発光部の発光点とほぼ一致する。すなわち、感光体ドラム９０１上での画素の位置は、副走査方向にシフトしない。
【００５８】
発光パターンＭ２は、副走査方向ずれが−（1／１６）画素の場合に適用され、Ａ３発光部が（７／８）Ｔsのパルス幅で発光され、Ａ４発光部が（１／８）Ｔsのパルス幅で発光され、Ａ２発光部は発光されない。このときの光の重心は図９（Ｂ）に符号Ｇｂで示されるように、Ｇａよりも（１／８）ｄsだけDir_sub方向に＋となる。これにより、感光体ドラム９０１上での画素の位置は、副走査方向の＋側に（1／１６）画素分だけシフトする。
【００５９】
発光パターンＭ３は、副走査方向ずれが−（２／１６）画素の場合に適用され、Ａ３発光部が（６／８）Ｔsのパルス幅で発光され、Ａ４発光部が（２／８）Ｔsのパルス幅で発光され、Ａ２発光部は発光されない。このときの光の重心は図９（Ｃ）に符号Ｇｃで示されるように、Ｇａよりも（２／８）ｄsだけDir_sub方向に＋となる。これにより、感光体ドラム９０１上での画素の位置は、副走査方向の＋側に（２／１６）画素分だけシフトする。
【００６０】
発光パターンＭ４は、副走査方向ずれが−（３／１６）画素の場合に適用され、Ａ３発光部が（５／８）Ｔsのパルス幅で発光され、Ａ４発光部が（３／８）Ｔsのパルス幅で発光され、Ａ２発光部は発光されない。このときの光の重心は図９（Ｄ）に符号Ｇｄで示されるように、Ｇａよりも（３／８）ｄsだけDir_sub方向に＋となる。これにより、感光体ドラム９０１上での画素の位置は、副走査方向の＋側に（３／１６）画素分だけシフトする。
【００６１】
発光パターンＭ５は、副走査方向ずれが−（４／１６）画素の場合に適用され、Ａ３発光部が（４／８）Ｔsのパルス幅で発光され、Ａ４発光部が（４／８）Ｔsのパルス幅で発光され、Ａ２発光部は発光されない。このときの光の重心は図９（Ｅ）に符号Ｇｅで示されるように、Ｇａよりも（４／８）ｄsだけDir_sub方向に＋となる。これにより、感光体ドラム９０１上での画素の位置は、副走査方向の＋側に（４／１６）画素分だけシフトする。
【００６２】
発光パターンＭ６は、副走査方向ずれが−（５／１６）画素の場合に適用され、Ａ３発光部が（３／８）Ｔsのパルス幅で発光され、Ａ４発光部が（５／８）Ｔsのパルス幅で発光され、Ａ２発光部は発光されない。このときの光の重心は図９（Ｆ）に符号Ｇｆで示されるように、Ｇａよりも（５／８）ｄsだけDir_sub方向に＋となる。これにより、感光体ドラム９０１上での画素の位置は、副走査方向の＋側に（５／１６）画素分だけシフトする。
【００６３】
発光パターンＭ７は、副走査方向ずれが−（６／１６）画素の場合に適用され、Ａ３発光部が（２／８）Ｔsのパルス幅で発光され、Ａ４発光部が（６／８）Ｔsのパルス幅で発光され、Ａ２発光部は発光されない。このときの光の重心は図９（Ｇ）に符号Ｇｇで示されるように、Ｇａよりも（６／８）ｄsだけDir_sub方向に＋となる。これにより、感光体ドラム９０１上での画素の位置は、副走査方向の＋側に（６／１６）画素分だけシフトする。
【００６４】
発光パターンＭ８は、副走査方向ずれが−（７／１６）画素の場合に適用され、Ａ３発光部が（１／８）Ｔsのパルス幅で発光され、Ａ４発光部が（７／８）Ｔsのパルス幅で発光され、Ａ２発光部は発光されない。このときの光の重心は図９（Ｈ）に符号Ｇｈで示されるように、Ｇａよりも（７／８）ｄsだけDir_sub方向に＋となる。これにより、感光体ドラム９０１上での画素の位置は、副走査方向の＋側に（７／１６）画素分だけシフトする。
【００６５】
発光パターンＭ９は、副走査方向ずれが−（８／１６）画素の場合に適用され、Ａ４発光部がＴsのパルス幅で発光され、Ａ３発光部及びＡ２発光部は発光されない。このときの光の重心は図９（Ｉ）に符号Ｇｉで示されるように、Ａ４発光部の発光点とほぼ一致する。これにより、感光体ドラム９０１上での画素の位置は、副走査方向の＋側に（８／１６）画素分だけシフトする。
【００６６】
発光パターンＭ１０は、副走査方向ずれが＋（1／１６）画素の場合に適用され、Ａ３発光部が（７／８）Ｔsのパルス幅で発光され、Ａ２発光部が（１／８）Ｔsのパルス幅で発光され、Ａ４発光部は発光されない。このときの光の重心は図１０（Ｂ）に符号Ｇｊで示されるように、Ｇａよりも（１／８）ｄsだけDir_sub方向に−となる。これにより、感光体ドラム９０１上での画素の位置は、副走査方向の−側に（1／１６）画素分だけシフトする。
【００６７】
発光パターンＭ１１は、副走査方向ずれが＋（２／１６）画素の場合に適用され、Ａ３発光部が（６／８）Ｔsのパルス幅で発光され、Ａ２発光部が（２／８）Ｔsのパルス幅で発光され、Ａ４発光部は発光されない。このときの光の重心は図１０（Ｃ）に符号Ｇｋで示されるように、Ｇａよりも（２／８）ｄsだけDir_sub方向に−となる。これにより、感光体ドラム９０１上での画素の位置は、副走査方向の−側に（２／１６）画素分だけシフトする。
【００６８】
発光パターンＭ１２は、副走査方向ずれが＋（３／１６）画素の場合に適用され、Ａ３発光部が（５／８）Ｔsのパルス幅で発光され、Ａ２発光部が（３／８）Ｔsのパルス幅で発光され、Ａ４発光部は発光されない。このときの光の重心は図１０（Ｄ）に符号Ｇｌで示されるように、Ｇａよりも（３／８）ｄsだけDir_sub方向に−となる。これにより、感光体ドラム９０１上での画素の位置は、副走査方向の−側に（３／１６）画素分だけシフトする。
【００６９】
発光パターンＭ１３は、副走査方向ずれが＋（４／１６）画素の場合に適用され、Ａ３発光部が（４／８）Ｔsのパルス幅で発光され、Ａ２発光部が（４／８）Ｔsのパルス幅で発光され、Ａ４発光部は発光されない。このときの光の重心は図１０（Ｅ）に符号Ｇｍで示されるように、Ｇａよりも（４／８）ｄsだけDir_sub方向に−となる。これにより、感光体ドラム９０１上での画素の位置は、副走査方向の−側に（４／１６）画素分だけシフトする。
【００７０】
発光パターンＭ１４は、副走査方向ずれが＋（５／１６）画素の場合に適用され、Ａ３発光部が（３／８）Ｔsのパルス幅で発光され、Ａ２発光部が（５／８）Ｔsのパルス幅で発光され、Ａ４発光部は発光されない。このときの光の重心は図１０（Ｆ）に符号Ｇｎで示されるように、Ｇａよりも（５／８）ｄsだけDir_sub方向に−となる。これにより、感光体ドラム９０１上での画素の位置は、副走査方向の−側に（５／１６）画素分だけシフトする。
【００７１】
発光パターンＭ１５は、副走査方向ずれが＋（６／１６）画素の場合に適用され、Ａ３発光部が（２／８）Ｔsのパルス幅で発光され、Ａ２発光部が（６／８）Ｔsのパルス幅で発光され、Ａ４発光部は発光されない。このときの光の重心は図１０（Ｇ）に符号Ｇｏで示されるように、Ｇａよりも（６／８）ｄsだけDir_sub方向に−となる。これにより、感光体ドラム９０１上での画素の位置は、副走査方向の−側に（６／１６）画素分だけシフトする。
【００７２】
発光パターンＭ１６は、副走査方向ずれが＋（７／１６）画素の場合に適用され、Ａ３発光部が（１／８）Ｔsのパルス幅で発光され、Ａ２発光部が（７／８）Ｔsのパルス幅で発光され、Ａ４発光部は発光されない。このときの光の重心は図１０（Ｈ）に符号Ｇｐで示されるように、Ｇａよりも（７／８）ｄsだけDir_sub方向に−となる。これにより、感光体ドラム９０１上での画素の位置は、副走査方向の−側に（７／１６）画素分だけシフトする。
【００７３】
発光パターンＭ１７は、副走査方向ずれが＋（８／１６）画素の場合に適用され、Ａ２発光部がＴsのパルス幅で発光され、Ａ３発光部及びＡ４発光部は発光されない。このときの光の重心は図１０（Ｉ）に符号Ｇｑで示されるように、Ａ２発光部の発光点とほぼ一致する。これにより、感光体ドラム９０１上での画素の位置は、副走査方向の−側に（８／１６）画素分だけシフトする。
【００７４】
例えば、図１１（Ａ）に示されるような上位装置からの直線の画像情報が、試し走査において図１１（Ｂ）に示されるように非直線となった場合には、図１１（Ｃ）に示されるような発光パターンが選択され、図１１（Ｄ）に示されるように潜像において各画素を副走査方向における最適位置に形成することが可能となる。
【００７５】
この場合には、光源ユニット８０１からの光の光量を一定に保ちつつ、光源ユニット８０１からの光の重心をDir_sub方向にシフトさせることができる。
【００７６】
前記変調データ生成回路３０は、画像データ、位相データSphase及び補正信号Ｓdevに基づいて、変調データを生成する。
【００７７】
前記シリアル信号生成回路３５は、変調データ生成回路３０からの変調データをシリアル信号に変換し、パルス幅変調信号MPWMとしてレーザ駆動回路５０に出力する。このシリアル信号生成回路３５は、例えばシフトレジスタを用いて構成することができる。
【００７８】
前記補正用画像データ生成回路４５は、補正信号Ｓdevに基づいて、補正用画像データ（補正画素用の画像データ）を生成する。
【００７９】
また、補正用画像データ生成回路４５は、ＬＵＴ４７を参照し、画像データに基づいて、副走査方向おける解像度を上げるための補正用画像データを生成する。なお、ＬＵＴ４７には、画像データのパターン毎に補正用画像データのパターンがテーブル形式で格納されている。
【００８０】
ここでは、感光体ドラム９０１上において、主走査方向に関してｍ番目でかつ副走査方向に関してｎ番目の画素（Ｉ（ｍ、ｎ）と記述する）を対象画素とし、該対象画素に対して補正画素を形成する際に、補正用画像データ生成回路４５は、Ｉ（ｍ−１、ｎ−１）の画素と、Ｉ（ｍ−１、ｎ）の画素と、Ｉ（ｍ−１、ｎ＋１）の画素と、Ｉ（ｍ、ｎ−１）の画素と、Ｉ（ｍ、ｎ＋１）の画素と、Ｉ（ｍ＋１、ｎ−１）の画素と、Ｉ（ｍ＋１、ｎ）の画素と、Ｉ（ｍ＋１、ｎ＋１）の画素の、８個の参照画素（すなわち、対象画素の周囲の画素）及び対象画素に関する各画像情報に基づいて、形成される補正画素の数及び発光条件を決定する。
【００８１】
例えば、図１２（Ａ）に示されるように、８個の参照画素のうち、Ｉ（ｍ−１、ｎ−１）の画素とＩ（ｍ＋１、ｎ＋１）の画素とが形成される場合には、一例として図１２（Ｂ）に示されるように、Ｉ（ｍ−１、ｎ−１）の画素とＩ（ｍ、ｎ）の画素の重心位置、及びＩ（ｍ、ｎ）の画素とＩ（ｍ＋１、ｎ＋１）の画素の重心位置に、それぞれ補正画素が形成されるように補正用画像データを生成する。但し、補正光源の１画素あたりの発光光量は、主光源の１画素あたりの発光光量よりも小さくし、本来の画像特性の劣化を抑制している。これにより、ジャギーを目立たなくすることができる。
【００８２】
また、例えば、図１３（Ａ）に示されるように、８個の参照画素のうち、Ｉ（ｍ−１、ｎ−１）の画素とＩ（ｍ＋１、ｎ＋１）の画素とＩ（ｍ−１、ｎ＋１）の画素とＩ（ｍ＋１、ｎ−１）の画素とが形成される場合には、一例として図１３（Ｂ）に示されるように、Ｉ（ｍ−１、ｎ−１）の画素とＩ（ｍ、ｎ）の画素の重心位置、Ｉ（ｍ、ｎ）の画素とＩ（ｍ＋１、ｎ＋１）の画素の重心位置、Ｉ（ｍ−１、ｎ＋１）の画素とＩ（ｍ、ｎ）の画素の重心位置、Ｉ（ｍ、ｎ）の画素とＩ（ｍ＋１、ｎ−１）の画素の重心位置に、それぞれ補正画素が形成されるように補正用画像データを生成する。これにより、ジャギーを目立たなくすることができる。
【００８３】
また、例えば、図１４（Ａ）に示されるように、８個の参照画素のうち、Ｉ（ｍ−１、ｎ−１）の画素とＩ（ｍ−１、ｎ＋１）の画素とＩ（ｍ＋１、ｎ−１）の画素とが形成される場合には、Ｉ（ｍ−１、ｎ−１）の画素とＩ（ｍ、ｎ）の画素の重心位置、Ｉ（ｍ−１、ｎ＋１）の画素とＩ（ｍ、ｎ）の画素の重心位置、Ｉ（ｍ、ｎ）の画素とＩ（ｍ＋１、ｎ−１）の画素の重心位置に、それぞれ補正画素が形成されるように補正用画像データを生成する。但し、この場合には、Ｉ（ｍ−１、ｎ−１）の画素及びＩ（ｍ＋１、ｎ−１）の画素の大きさが対象画素よりも小さいため、Ｉ（ｍ−１、ｎ−１）の画素におけるパルス幅に応じて、Ｉ（ｍ−１、ｎ−１）の画素とＩ（ｍ、ｎ）の画素の重心位置に補正画素を形成するときの補正光源（ここではＡ４）のパルス幅が決定され、Ｉ（ｍ＋１、ｎ−１）の画素におけるパルス幅に応じて、Ｉ（ｍ＋１、ｎ−１）の画素とＩ（ｍ、ｎ）の画素の重心位置に補正画素を形成するときの補正光源（ここではＡ４）のパルス幅が決定される。これにより、ジャギーを目立たなくすることができる。
【００８４】
補正用画像データ生成回路４５で生成された補正用画像データは、パルス幅変調信号SPWMとしてレーザ駆動回路５０に出力される。
【００８５】
なお、１つの補正画素が二重に形成される場合には、補正光源の１画素あたりの発光光量は、主光源の１画素あたりの発光光量の１／２よりも小さくし、本来の画像特性の劣化を抑制している。
【００８６】
以上の説明から明らかなように、本実施形態に係るレーザプリンタ１００では、帯電チャージャ９０２と現像ローラ９０３とトナーカートリッジ９０４と転写チャージャ９１１とによって転写装置が構成されている。
【００８７】
以上説明したように、本実施形態に係る光走査装置９００によると、光源ユニット８０１は複数の光源を有し、該複数の光源は、感光体ドラム９０１上における複数の光源からそれぞれ出射された光による複数の光スポットの副走査方向に関する間隔が、像を構成する複数の画素の副走査方向に関する間隔の１／２となるように配置されている。そして、複数の光源のうち、像を構成する複数の画素に対応する位置にある複数の光源を主光源とし、副走査方向に対応する方向に関して複数の主光源の間にそれぞれ位置する複数の光源を補正光源とし、複数の主光源を用いて画像情報に応じた主画素を形成するとともに、複数の補正光源を用いて感光体ドラム９０１上における補正画素を形成している。これにより、画像データのデータ量を増加させることなく副走査方向における像の解像度を上げることが可能となる。
【００８８】
また、発光パターンを調整することにより副走査方向における光の重心位置を調整している。これにより、容易に高精度で副走査方向ずれを補正することができる。
【００８９】
また、８個の参照画素及び対象画素に関する画像情報に基づいて、形成される補正画素の数及び発光条件を決定している。これにより、補正用画像データ生成回路４５の構成を簡単にすることができる。
【００９０】
また、感光体ドラム９０１上に１つの補正画素を２つの主画素の間に形成する際に、その１つの補正画素は、その重心位置が前記２つの主画素の重心位置と一致するように形成されている。これにより、副走査方向における解像度を上げるとともに、画像品質を向上させることができる。
【００９１】
また、感光体ドラム９０１上に１つの補正画素を２つの主画素の間に形成する際に、形成される補正画素のパルス幅は、対象画素のパルス幅及び参照画素のパルス幅のうち小さい方のパルス幅によって決定されている。これにより、最適な補正用画像データを作成することができる。
【００９２】
また、画像情報を補正用画像データに変換するためのルックアップテーブルを備えるため、補正用画像データ生成回路４５の構成を簡単にすることができる。
【００９３】
また、補正光源の１画素あたりの発光光量は、主光源の１画素あたりの発光光量よりも小さくしているため、本来の画像特性を劣化させることなく、画像品質を向上させることができる。
【００９４】
また、補正画素が重ね合わせて形成される場合には、補正光源の１画素あたりの発光光量は、主光源の１画素あたりの発光光量の１／２よりも小さくしているため、本来の画像特性を劣化させることなく、画像品質を向上させることができる。
【００９５】
また、複数の光源は、それぞれ同一チップ上に形成されているため、光源の間隔がそれぞれほぼ設計通りとなり、補正画素を精度良く形成することができる。更に、単一の光源を複数個用いる場合に比べて消費電力を低減することができる。
【００９６】
また、本実施形態に係るレーザプリンタ１００によると、画像データのデータ量を増加させることなく副走査方向における像の解像度を上げることができる光走査装置９００を備えているため、安価で高精細の画像を形成することが可能となる。
【００９７】
なお、上記実施形態では、副走査方向ずれに対する発光パターンが１７種類の場合について説明したが、本発明がこれに限定されるものではない。
【００９８】
また、上記実施形態では、副走査方向ずれが正のときと負のときとで、発光パターンの数が同じ場合について説明したが、本発明がこれに限られるものではなく、副走査方向ずれが正のときと負のときとで、発光パターンの数が異なっていても良い。
【００９９】
なお、上記実施形態では、半導体レーザＬＤがα方向に４個／列、β方向に３個／列の発光部を有する場合について説明したが、これに限定されるものではない。例えば、図１５に示されるように、Dir_sub方向に４個の発光部が一列に配置されても良い。また、図１６に示されるように、α方向に３個／列、β方向に４個／列の発光部を有する半導体レーザであっても良い。
【０１００】
また、上記実施形態では、８個の参照画素及び対象画素に関する各画像情報に基づいて、形成される補正画素の数及び発光条件を決定する場合について説明したが、これに限定されるものではない。例えば、Ｉ（ｍ、ｎ−１）の画素とＩ（ｍ、ｎ＋１）の画素とを除く６個の参照画素及び対象画素に関する各画像情報に基づいて、形成される補正画素の数及び発光条件を決定しても良い。また、Ｉ（ｍ−１、ｎ−１）の画素と、Ｉ（ｍ−１、ｎ＋１）の画素と、Ｉ（ｍ＋１、ｎ−１）の画素と、Ｉ（ｍ＋１、ｎ＋１）の画素の、４個の参照画素及び対象画素に関する各画像情報に基づいて、形成される補正画素の数及び発光条件を決定しても良い。これにより、補正用画像データ生成回路４５の構成を更に簡単にすることが可能となる。
【０１０１】
また、上記実施形態において、ＬＵＴ４７に代えて、画像データを一時的に格納することができるキャッシュメモリを用いても良い。これにより、補正画素を更に精度良く形成することが可能となる。
【０１０２】
また、上記実施形態における処理回路８１５は一例であり、同様な処理を行う回路であれば、その回路構成は上記実施形態に限定されるものではない。
【０１０３】
また、上記実施形態において、前記処理回路８１５を構成する回路の少なくとも一部が前記プリント基板８０２に実装されても良い。
【０１０４】
また、カラー画像を形成する画像形成装置であっても、カラー画像に対応した光走査装置を用いることにより、安価で高精細の画像を形成することが可能となる。
【０１０５】
また、画像形成装置として、カラー画像に対応し、画像情報毎に感光ドラムを備えるタンデムカラー機であっても良い。一例として図１７に示されるタンデムカラー機には、Ｙ画像情報用の感光ドラム９０１ａにＹ画像情報の潜像を形成する光走査装置９００ａと、Ｍ画像情報用の感光ドラム９０１ｂにＭ画像情報の潜像を形成する光走査装置９００ｂと、Ｃ画像情報用の感光ドラム９０１ｃにＣ画像情報の潜像を形成する光走査装置９００ｃと、Ｋ画像情報用の感光ドラム９０１ｄにＫ画像情報の潜像を形成する光走査装置９００ｄと、を有している。この場合には、上記実施形態と同様にしてジャギー及び副走査方向ずれが補正され、安価で高精細の画像を形成することが可能となる。
【０１０６】
また、上記実施形態では、画像形成装置がレーザプリンタ１００の場合について説明したが、これに限らず、例えば、光走査装置９００を備えたデジタル複写機、スキャナ、ファクシミリ、及びいわゆる複合機であっても良い。要するに、光走査装置９００を備えた画像形成装置であれば、安価で高精細の画像を形成することが可能となる。
【図面の簡単な説明】
【０１０７】
【図１】本発明の一実施形態に係るレーザプリンタの概略構成を説明するための図である。
【図２】図１における光走査装置を示す概略斜視図（その１）である。
【図３】図１における光走査装置を示す概略斜視図（その２）である。
【図４】図４（Ａ）〜図４（Ｃ）は、それぞれ図３における半導体レーザを説明するための図である。
【図５】図５（Ａ）及び図５（Ｂ）は、それぞれ画素密度と光源密度との関係を説明するための図である。
【図６】図２におけるプリント基板に実装されている各種回路及び処理回路を説明するための図である。
【図７】画像データと発光タイミングとの関係を説明するための図である。
【図８】副走査方向ずれを補正する際の発光パターンの種類を説明するための図である。
【図９】図９（Ａ）〜図９（Ｉ）は、それぞれ各発光パターンを説明するための図（その１）である。
【図１０】図１０（Ａ）〜図１０（Ｉ）は、それぞれ各発光パターンを説明するための図（その２）である。
【図１１】図１１（Ａ）〜図１１（Ｄ）は、それぞれ副走査方向ずれの補正を説明するための図である。
【図１２】図１２（Ａ）及び図１２（Ｂ）は、それぞれジャギーの補正を説明するための図（その１）である。
【図１３】図１３（Ａ）及び図１３（Ｂ）は、それぞれジャギーの補正を説明するための図（その２）である。
【図１４】図１４（Ａ）及び図１４（Ｂ）は、それぞれジャギーの補正を説明するための図（その３）である。
【図１５】図３における半導体レーザの変形例１を説明するための図である。
【図１６】図３における半導体レーザの変形例２を説明するための図である。
【図１７】タンデムカラー機を説明するための概略図である。
【符号の説明】
【０１０８】
１００…レーザプリンタ（画像形成装置）、８０１…光源ユニット、８１５…処理装置、９００…光走査装置、９０１…感光体ドラム（走査対象物）、９０２…帯電チャージャ（転写装置の一部）、９０３…現像ローラ（転写装置の一部）、９０４…トナーカートリッジ（転写装置の一部）、９０９…定着ローラ（転写装置の一部）、９１１…転写チャージャ（転写装置の一部）、９１３…記録紙（転写対象物）。
【図１】
2007047644.tif 000003
【図２】
2007047644.tif 000004
【図３】
2007047644.tif 000005
【図４】
2007047644.tif 000006
【図５】
2007047644.tif 000007
【図６】
2007047644.tif 000008
【図７】
2007047644.tif 000009
【図８】
2007047644.tif 000010
【図９】
2007047644.tif 000011
【図１０】
2007047644.tif 000012
【図１１】
2007047644.tif 000013
【図１２】
2007047644.tif 000014
【図１３】
2007047644.tif 000015
【図１４】
2007047644.tif 000016
【図１５】
2007047644.tif 000017
【図１６】
2007047644.tif 000018
【図１７】
2007047644.tif 000019